(57)【要約】【課題】ユーザー認証技術を有効に利用し、状況に応じて最適な画像を表示させることができる画像再生システムを提供する。【解決手段】この画像再生システムにおいては、ユーザー１０Ａ，１０Ｂがカメラ１Ａ、または、１Ｂを用いて撮影した人物画像データと、その人物画像データに基づいた認証信号がＷｅｂサイト３０を介して基地局４０に取り込まれ、フォルダ作成部１９において該認証信号基づき画像フォルダが作られ、記録される。そして、ユーザー１０Ａ，１０Ｂが鑑賞者となって再生装置５０により撮影画像を鑑賞する場合、ユーザー１０Ａ，１０Ｂの顔情報がＷｅｂサイト３０を介して基地局４０に取り込まれ、該顔情報が個人認証処理部１７にて認証され、その認証結果に基づき、上記画像フォルダの画像データが選択再生され、Ｗｅｂサイト３０を介して再生装置５０側に取り込まれ、再生される。【選択図】図１
2005354210.tif 000002
【特許請求の範囲】
【請求項１】
ユーザーを認証する第１の認証手段を有するカメラと、
上記第１の認証手段の認証信号よって画像フォルダを作り、記録手段に記録するフォルダ形成手段と、
上記第１の認証手段とは異なる第２の認証手段を有し、上記第２の認証手段の結果に従って、上記記録手段内の画像フォルダのうち、再生するものを選択する選択再生手段と、
を有することを特徴とする画像再生システム。
【請求項２】
上記フォルダ形成手段は、複数のユーザーの関係を判定する判定手段を有し、上記判定手段の判定結果に従って、複数のカメラのデータを共通のフォルダに記録することを特徴とする請求項１記載の画像再生システム。
【請求項３】
複数のユーザーの関係を判定する判定手段を有し、上記判定結果に従って、複数のカメラのデータを共通のフォルダに記録する画像フォルダ形成手段と、
上記複数のユーザーのいずれかが再生手段を利用することを判定して、上記フォルダに記録した画像データを再生する再生手段と、
を有することを特徴とする画像再生システム。
【請求項４】
撮影画像から人物の顔の部分の特徴部から、その画像をあらわすフォルダ名を作成し、そのフォルダ内に類似の顔の特徴部を有する画像をまとめていくことを特徴とする画像ファイリングシステム。
【発明の詳細な説明】
【技術分野】
【０００１】
本発明は、画像データを分析して、アルバム化し、鑑賞者に最適な画像を再生する画像再生システム、および、該画像データの画像ファイリングシステムに関する。
【背景技術】
【０００２】
現在、ディジタルカメラの普及などによって画像データは氾濫し、画像データの送信・受信など通信や紙のプリント以外による画像再生が容易にできるといった状況になっている。
【０００３】
上述した状況にあって、特許文献１に開示された技術は、テレビジョン画像の受信選択に関するものであって、過去の受信頻度に限定されず、個人認識結果により視聴者の嗜好に応じた番組を選択して提示することができるテレビジョン選局装置に関すものである。
【０００４】
また、特許文献２に開示された技術は、カメラより取り込まれた顔画像データから特徴量データ抽出し、特徴量データから特徴量を決定する。上記顔画像データをデータベースに登録すると共に上記特徴量をテキストデータとして登録し、検索条件として特徴量を指定することによって上記顔画像データを検索できるようにした個人認証に関するものである。
【特許文献１】特許文献１は、特開平１０−２４３３０９号公報である。
【特許文献２】特許文献２は、特開平１１−０８５９９２号公報である。
【発明の開示】
【発明が解決しようとする課題】
【０００５】
しかし、上述した特許文献１の技術は、テレビジョンのお気に入りのチャンネルを選ぶ技術に過ぎず、撮影時の画像データの記録についての扱いは含まれていない。また、上述した特許文献２の技術は、顔そのものの画像検索の技術であり、写真鑑賞方法のための技術ではない。
【０００６】
また、近年では個人持ちの携帯電話にもカメラが搭載され、カメラのパーソナルユース化が進んでいるが、どこでも気軽に撮影できるために画像データが増加し、その整理がしにくくなり、せっかく撮影したのに、見たい時に再生できない場合が生じる。その他にも最悪データを紛失してしまうような事態も起こっている。一方、多くの画像データの中から適当なものを分類し、適宜選択して鑑賞できる画像再生システムやプライベートな画像がどこでも再生されるようなことも防止できるシステムも要望されている。
【０００７】
本発明は、上述した事情に鑑みてなされたものであり、ユーザー認証技術を有効に利用し、状況に応じて最適な画像を表示できる画像再生システム、および、画像ファイリングシステムを提供することを目的とする。
【課題を解決するための手段】
【０００８】
本発明の請求項１記載の画像再生システムは、ユーザーを認証する第１の認証手段を有するカメラと、上記第１の認証手段の認証信号よって画像フォルダを作り、記録手段に記録するフォルダ形成手段と、上記第１の認証手段とは異なる第２の認証手段を有し、上記第２の認証手段の結果に従って、上記記録手段内の画像フォルダのうち、再生するものを選択する選択再生手段とを有する。
【０００９】
本発明の請求項２記載の画像再生システムは、請求項１記載の画像再生システムにおいて、上記フォルダ形成手段は、複数のユーザーの関係を判定する判定手段を有し、上記判定手段の判定結果に従って、複数のカメラのデータを共通のフォルダに記録する。
【００１０】
本発明の請求項３記載の画像再生システムは、複数のユーザーの関係を判定する判定手段を有し、上記判定結果に従って、複数のカメラのデータを共通のフォルダに記録する画像フォルダ形成手段と、上記複数のユーザーのいずれかが再生手段を利用することを判定して、上記フォルダに記録した画像データを再生する再生手段とを有する。
【００１１】
本発明の請求項４記載の画像ファイリングシステムは、撮影画像から人物の顔の部分の特徴部から、その画像をあらわすフォルダ名を作成し、そのフォルダ内に類似の顔の特徴部を有する画像をまとめていく。
【発明の効果】
【００１２】
本発明による画像再生システムおよび画像ファイリングシステムによれば、撮影者の情報のみならず撮影された画像の被写体の情報を分析して、分類時に有効利用し、効率良くデータを検索し、プライバシー保護などを考慮した画像再生が楽しめ、また、その画像を鑑賞する際に、状況に応じて最適な画像を効率良く再生することができる。つまり、撮影された被写体の顔の情報を最大限利用し、それによって、同じ被写体の写った画像を同じフォルダに入れたり、類似のファイル名で分類したりして、検索しやすく、鑑賞の容易な画像ファイリングシステムを構築し、最適なユーザーに最適な画像を分類して、再生できる。
【発明を実施するための最良の形態】
【００１３】
以下、図を用いて本発明の実施形態について説明する。  
図１は、本発明の一実施形態である画像ファイリングシステムを含む画像再生システムの構成を示すブロック構成図である。
【００１４】
本実施形態の画像再生システム１００は、主に第一の認証手段を含むカメラ（デジタルカメラ）１Ａと，１Ｂと、Ｗｅｂサイト３０と、第一，二の認証手段，フォルダ作成手段，記録手段，選択再生手段等を含む基地局４０と、第二の認証手段，再生手段を含む再生装置５０とを有してなる。
【００１５】
カメラ１Ａ，１Ｂは、例えば、各撮影者が互いに相手の被写体画像を取り込み、それぞれの画像データファイル３，４を撮影し、生成する。画像データファイル３は、カメラ情報３ａと、画像そのもののデータである画像データ３ｂと、撮影日を示す日付情報３ｃを含む。画像データファイル４も同様にカメラ情報４ａと、画像そのもののデータである画像データ４ｂと、撮影日時を示す日付情報４ｃを含む。カメラ情報３ａ，４ａは、撮影したカメラ１Ａ，１Ｂに関する情報であり、本カメラがパーソナルユースのものである場合には、個人情報となる。この個人情報は、カメラ１Ａ，１Ｂに内蔵される第一の認証手段によって生成されるユーザーを認証するための情報を含む。
【００１６】
図１に示す例では、カメラ１Ａ，１Ｂによって二人の人物（撮影者）１０Ａ，１０Ｂが互いの像を記念写真として撮影し合っている状態を示している。
【００１７】
撮影によって得られた画像データファイル３，４は、送信データとして電話回線などの有線で基地局４０に送信してもよいが、ここでは、コンピュータ（図示せず）を用い、ホットスポット５の指示により無線ＬＡＮ方式でインターネットのＷｅｂサイト３０を経由して基地局４０に送信される。
【００１８】
基地局４０の制御部は、複数のユーザーの関係を判定する判定手段，画像フォルダを作成するフォルダ形成手段，画像データを記録する記録手段を含む関連付け部１８，フォルダ作成部１９と、送信フォルダを選択する送信フォルダ選択部２１と、ユーザー数に対応するユーザーデータを記憶しているデータ部２２と、第一，第二の認証手段であって、個人認証処理を行う個人認証処理部１７と、送信フォルダ選択部２１とを有してなる。
【００１９】
カメラ１Ａ，１Ｂからの送信データを受け取った基地局４０においては、制御部によって上記送信データである日付情報１４，個人情報（カメラ情報）１５，画像情報１６からなる複数の画像データファイルの関連付けを関連付け部１８で行い、フォルダ作成部１９でフォルダを作成する。このフォルダには、関連性のあるファイル同士がまとめられる。すなわち、個人認証処理部１７にてデータ部２２に記憶されているユーザーの顔情報と、送信データ内の画像データ３ｂ，４ｂに写っている顔情報とから顔の特徴を比較することによって、画像データ３ｂ，４ｂに誰が写っているか判定する（個人認証）。この判定によって関連付け部１８でカメラのユーザーと撮影された人とが関連付けされる。そして、撮影者と被撮影者は共に該画像データを楽しむことができるように上記関連付けされた画像データが同じフォルダ内に記録される。なお、この個人認証の情報は、基地局４０が有するものとする。
【００２０】
再生装置５０は、主に制御部と、メモリ部７と、画像データ展開部８と、モニタ部９と、第二の認証手段を含む画像取得手段である撮影レンズ１１，イメージセンサ１２，顔情報記録部１３とを有してなる。この再生装置５０は、Ｗｅｂサイト３０を通して基地局４０と通信が可能とする。
【００２１】
再生装置５０においては、鑑賞者１０Ａ，１０Ｂが撮影済みの画像データを鑑賞するためにモニタの前に位置すると、該鑑賞者１０Ａ，１０Ｂの顔がイメージセンサ１２によって撮影される。その顔画像データは、顔情報記録部１３に取り込まれ、Ｗｅｂサイト３０を介して基地局４０に送られる。基地局４０側では、上記顔画像情報を鑑賞者顔情報２０として取り込まれ、個人認証処理部１７でモニタ装置の鑑賞者が誰であるかをデータ部２２のデータに基づき、判定する。その判定結果によって送信フォルダ選択部２１にて上記鑑賞者に関連している上述した関連付けフォルダが選択される。選択されたフォルダの画像データは、基地局４０よりＷｅｂサイト３０を介して再生装置５０に送信され、再生装置５０のメモリ部７に取り込まれる。
【００２２】
もし、鑑賞者１０Ａ，１０Ｂが前記カメラ１Ａ，１Ｂで撮影を行った撮影者１０Ａ，１０Ｂと同一人物であった場合、上記選択されたフォルダの画像データファイルは、当人達が写った画像の前記画像データファイル３，４となる。その画像データがメモリ部７に取り込まれる。そして、該画像データは、画像データ展開部８にて展開され、モニタ部９に表示され、鑑賞者１０Ａ，１０Ｂによって観察される。
【００２３】
上述のように本実施形態の画像再生システム１００によれば、撮影したカメラと写された人の関係が関連付けられ、撮影者と被撮影者は共にその画像を楽しむ権利があるとして同じフォルダ内の関連付けファイルの画像データとしてまとめられる。そして、基地局４０がまとめた画像アルバムを、再生装置５０により鑑賞者１０Ａ、１０Ｂが鑑賞したい場合、家庭内のカメラ部９付きのテレビジョン（インターネット通信可能なテレビジョン）などの前に座るだけで鑑賞できる。すなわち、基地局４０側のコンピュータが、日付や送られてきたデータより二人の関係、例えば、同一期間、または、同一時刻に一緒に旅行した等での撮影画像であると判定し、二人で見るための写真を時系列でまとめて編集し、送信する。上記家庭内のテレビジョンで該編集済み画像データが受信され、鑑賞が可能となる。
【００２４】
なお、上述した画像データファイリング機能を持たないシステムの場合、鑑賞者１０Ａは、相手が撮影した自分の写真は見られず、相手の被撮影者１０Ｂの写った写真しか見られない状態となる。また、お互いの写真が見られたとしても順番が順不同とってしまう可能性もある。
【００２５】
撮影機器のパーソナルユース化が進むと、複数のカメラの撮影結果を上手く組み合わせてアルバムを作らないと画像の再生が時系列で行うことができず、せっかくの意識の流れが中断され、美しい思い出の再現をさまたげるようになってしまう。本実施形態のシステム１００によれば、このような状況を改善され、何台のカメラで撮影しても同じ旅行では同じグループの人を撮った写真が時系列で再生されるので、違和感のない回想が可能となる。
【００２６】
次に、本実施形態の画像ファイリングシステムを適用した画像再生システム１００における撮影，送信，ファイリング，再生等の各処理動作について各フローチャート等を参照して説明する。  
図２は、本実施形態の画像再生システム１００における撮影・送信処理のフローチャートである。図３は、図２の撮影・送信処理中の送信処理において画像データを保護する必要がある場合に適用される電子すかし処理のフローチャートである。図４は、上記電子すかし処理にて暗号化処理を行う場合に画像データ中に暗号を書き込む領域の一例を示す画像の画面を示す。図５は、本実施形態の画像再生システムの基地局でのフォルダ作成処理のフローチャートである。図６は、フォルダ分類に関する変形例における分類写真の例を示す。図７は、フォルダ分類に関する変形例における分類写真の他の例を示す。図８は、本実施形態の画像再生システムの再生装置における再生処理のフローチャートである。
【００２７】
本実施形態の画像再生システム１００にて、再生するための画像データをカメラで取り込み（撮影する）、さらに、基地局に画像データを送信する場合、図２の撮影・送信処理が実行される。この撮影・送信処理は、カメラ付きパーソナルコンピュータによる制御のもとで実行されるが、カメラ１Ａ、または、２Ｂによって撮影された画像データをインターネット通信可能なパーソナルコンピュータを用いて送信処理しても同様な処理が可能である。
【００２８】
上記撮影・送信処理においては、ステップＳ０１にて撮影指示が出され、ステップＳ０２にて画像情報が取得される。ステップＳ０３にて撮影日時情報が取得され、画像データファイル３，４（図１）が生成される。
【００２９】
ステップＳ０４で送信可の指示が確認されれば、ステップＳ０５に進み、画像データファイル３，４が送信元情報と共にＷｅｂサイト３０を介してホットスポット５等に入るか、有線で基地局４０に送信される。
【００３０】
上記送信元情報は、カメラに関する情報を含み、さらに、送信画像データを著作権などで保護するために電子すかし技術を利用した場合に適用されるデータ暗号化情報を含む。
【００３１】
上記電子すかし技術による送信元情報の書き込み処理について、図の電子すかし処理のフローチャート、および、図４の送信画像データによる画像例を用いて説明する。
【００３２】
この電子すかし処理処理は、上記カメラ側パーソナルコンピュータによる制御のもとで実行されるものである。まず、ステップＳ４０において送信画像データにおける画像信号の変化が大きい範囲を判定し、その範囲を座標指定部とする。例えば、図４の画像例に示す画像６０の座標指定部６０ａが信号変化の大きい部分である。ステップＳ４１で上記画像信号の変化が大きい範囲の座標指定部に暗号化フォーマットを書き込む。ステップＳ４２で上記座標指定部に送信元情報を書き込む。このように画像データ内で信号の変化が激しい部分に画像データ以外の修正フォーマットの暗号化信号の混入を行ったとしても目立つことがなく、画像への影響の少ない状態で送信元情報を画像データとともに送信することができる。そして、この送信元情報に基づいて基地局４０側で画像データを解読することにより画像データが不正コピーされることが防止され、仮にコピーされたとしても関係者以外に出回ったとき、再生が禁止、または、削除される。
【００３３】
次に、上記画像データを受信した基地局４０におけるフォルダ作成処理について、図５のフローチャートを用いて説明する。
【００３４】
上記フォルダ作成処理は、基地局４０の制御部によって実行される。まず、ステップＳ１１において受信した画像データファイル中の画像情報１６に基づき、関連付け部１８にて個人特定を行う。この個人特定は、上記受信画像情報中の人物の顔部分の特徴を検出し、基地局４０に登録されている人物（ユーザー）の顔の特徴とを比較し、その画像中の人物が基地局４０に登録されている人のうちのどの人であるかを判別する、いわゆる、個人認証を行うものである。この個人認証の技術には、近年、セキュリティ分野で利用されている人物の顔の目や鼻の特徴を分析し、人物が誰であるか認証する技術を応用することも可能である。
【００３５】
続いて、ステップＳ１２にて上記個人特定ができたかどうか、すなわち、画像中の人物が基地局４０のデータ部２２に登録されているかチェックし、特定できた場合（個人認証ができた場合）は、ステップＳ１３に進む。しかし、画像の人物が登録されていなかった場合や、画像が不鮮明で人物の特定ができない特定できなかった場合（個人認証ができなかった場合）は、ステップＳ１５に進む。
【００３６】
ステップＳ１３に進んだ場合は、自分で自分を撮影した場合を除外すると、少なくとも撮影者と被写体となった被撮影者との二人が関連したと考えられる。従って、複数の人（例えば、二人）の共通のフォルダに上記画像データを記録する。そして、ステップＳ１４にて上記共通のフォルダを複数名フォルダとして分類記録する。
【００３７】
ステップＳ１５に進んだ場合は、必ず解っているカメラのユーザーである撮影者のフォルダに上記画像データを記録する。そして、ステップＳ１６において上記撮影者のフォルダを個人名フォルダとして分類記録する。
【００３８】
続いて、ステップＳ１７において、上記分類されたフォルダをさらに時系列に並べ替え、さらに、ステップＳ１８で日付け毎に再分類化する。例えば、画像中の人物１０Ａ，１０Ｂに関連するフォルダには、「１０Ａ・１０Ｂ／２００４．０１．１７（日付）」のファイル名を付し、個人の場合の人物１０Ａに関連するフォルダには、「１０Ａ／２００４．０１．１７（日付）」といったファイル名を付す。
【００３９】
上述のように撮影者と被撮影者（複数の場合もあり得る）との共通の名前のフォルダをもつことによって撮影者自身が撮影した自分の記憶の中に映像として、時系列にまとめられる。そして、後述する画像再生時に一方の人、または、二人でこのフォルダ内画像を見ることができる。同時に、従来では自分が写った写真が見られなかったという不満が解消できる。
【００４０】
なお、上述のフォルダ作成処理では、図５のステップＳ１２のチェックで特定可能かどうかによって画像を入れるフォルダをステップＳ１３、または、Ｓ１５の処理のように分けてしまうように処理されたが、同じ画像を状況に応じて両方のフォルダに入れていくようにしても良い。そうしておけば、後述する再生装置５０にて図６のように自分の撮った写真６１，６２，６３，…だけを鑑賞することもできるし、図７のように何人かで撮った写真を一括して管理しておき、時系列で表示して自分の撮った写真６１とともに、他の人が撮った写真も鑑賞することもできる。
【００４１】
次に、基地局４０に取り込まれた撮影画像データをＷｅｂサイト３０を介して取り込み再生装置５０によって鑑賞する再生処理について図８のフローチャート等を参照して説明する。
【００４２】
上記再生処理は、再生装置５０の制御部および基地局４０の制御部とが協働して行う通信処理であって、再生装置５０からの要求に基づき、基地局４０のサービスとして基地局の制御部の働きにより画像が選択され、送信されて、再生装置５０側で観察される。まず、再生装置５０側から画像観察通信要求がされると、ステップＳ２０において、モニタ９の前に位置する鑑賞者（例えば、鑑賞者１０Ａ，１０Ｂ）の顔画像が画像取得手段である撮影レンズ１１，ＣＣＤ１２で取り込まれ、その顔情報が顔情報記録部１３に記録される。上記顔情報は、Ｗｅｂサイト３０を介して基地局４０に送信される。
【００４３】
基地局４０側では、送信された鑑賞者顔情報２０に基づき、ステップＳ２１〜Ｓ３０の処理が実行される。すなわち、ステップＳ２１にて送信された顔画像データにより鑑賞者が複数であるかどうかをチェックする。鑑賞者が複数である場合は、ステップＳ２２に進み、複数でない場合、言い換えれば、個人で鑑賞する状態では、ステップＳ２６に進む。
【００４４】
ステップＳ２２に進んだ場合は、個人認証処理部１７にて上記送信顔情報による鑑賞者が登録済みの人物の誰であるかの個人特定を行って、ステップＳ２３に進む。ステップＳ２３では、複数人画像再生でよいかどうかのチェックがなされ、可であれば、ステップＳ２４に進む。不可であれば、ステップＳ２８に進む。
【００４５】
ステップＳ２６に進んだ場合は、個人認証処理部１７にて上記送信顔情報による鑑賞者が登録済みの人物の誰であるかの個人特定を行って、ステップＳ２８に進む。
【００４６】
ステップＳ２４では、送信フォルダ選択部２１にて記録されている上記複数名フォルダを検索して、該当するフォルダを選び出す。
【００４７】
ステップＳ２８では、送信フォルダ選択部２１にて記録されている上記個人名フォルダを優先した検索により該当するフォルダを選び出す。
【００４８】
続いて、ステップＳ３０に進み、最新フォルダを選択する。なお、この処理では、一連の日付けフォルダのうち、最も前のフォルダを選択するようにしてもよい。
【００４９】
ステップＳ３１以降、基地局４０側と再生装置５０側とのインターネット通信による処理で画像検索，表示処理が実行される。すなわち、ステップＳ３１で基地局４０より上記選択されたフォルダの写真がＷｅｂサイト３０を介して再生装置５０側に送信され、再生装置５０側では、上記送信されたフォルダの画像データを受信し、まず、サンプル画像データとしてメモリ部７に取り込む。そして、サンプル画像データを展開部８にて展開し、モニタ９にサンプル画像が表示される。
【００５０】
ステップＳ３２にて鑑賞者が上記サンプル画像をみて、再生が許可されれば、ステップＳ３３に進んで指定されたフォルダの画像が順次再生される。鑑賞者が再生を許可しなかった場合、ステップＳ３４に進み、別のフォルダを選択し、ステップＳ３１に戻る。
【００５１】
なお、ステップＳ２８において個人名フォルダを検索した場合、基本的には他の人が撮影した自分が写った画像は見られない。しかし、後の処理でステップＳ３４に進んで別のフォルダを選択するとき、複数名フォルダのうち、自分の名前が入ったものを選択することによって他の人が撮影した自分が写った画像を鑑賞することは可能である。
【００５２】
上述したように、本実施例の画像再生装置によれば、撮影画像の顔の部分や、鑑賞者の顔の画像を分析し、その結果によって、該鑑賞者に関連する再生画像が選択されるので、見たい人に見たい画像を効率よく見せることができる。
【００５３】
上述した一実施形態の画像再生システム１００に対してシステムをより単純に利用する第一の変形例として、図９のようなフォルダ作成処理と図１０の再生処理とを適用する画像再生システムも提案することができる。
【００５４】
本変形例では、図９のフォルダ作成処理において、公開可能な画像であることを画像信号に指定できるようにして、ステップＳ５１で公開可能かどうかを判定し、可能であれば、ステップＳ５２に進み、基地局４０のコンピュータは画像情報より顔の認証技術により写っている個人を特定し、ステップＳ５３でその個人名フォルダに随時画像を分類記録する。
【００５５】
上述のような個人名フォルダを有する基地局４０にユーザーがアクセスし，画像再生を行う場合、上記コンピュータは、図１０の再生処理におけるステップＳ６１にて鑑賞者顔画像情報を取得して、該顔画像からその鑑賞者個人を特定し、ステップＳ６２にて上記ステップＳ５３で作られた個人名フォルダから画像を読み出す。
【００５６】
このような制御を行う本変形例のシステムでは、自分が写った画像（公開されているもの）をすべて鑑賞することができるアルバムシステムとすることができ、さらに、見る人が見たい画像を効率良く検索することが可能となる。
【００５７】
上述した考え方をさらに発展させると、個人名を特定すること無く、顔の特徴だけでフォルダの作成読み出しを行うような画像再生システムの第２の変形例も提案できる。図１０，１１は、それぞれ本変形例のシステムに適用されるフォルダ作成処理、再生処理のフローチャートを示している。
【００５８】
本変形例のシステムでは、個人名を登録する必要がなく、システムを単純化することができる。これは、フォルダ名を個人の名前などで表すのではなく、人物の顔の情報をデータ化してそのデータを直接、フォルダ名として用いるシステムである。
【００５９】
図１１に示す本変形例におけるフォルダ作成処理においては、基地局４０のコンピュータの制御のもとでステップＳ７１において顔分類を実行する。そして、ステップＳ７２て顔画像に基づいてフォルダ名を生成する。例えば、人物の顔画像が図１３の画像７１であった場合、顔の一部であるまゆや目の特徴部分７１ａを切り出して、その特徴部分７１ａから特徴を示すデータを抽出する。図１４は上記切り出された特徴部分７１ａの信号化状態の例を示す図である。特徴部分７１ａの有効像部分ｗ×ｈの各ドットに対する陰影情報を特徴データであるデジタル情報（０１１１１００…，０００１１００…等）としてデータ化し、その特徴データをフォルダ名として適用する。
【００６０】
このようなフォルダを有する基地局４０にユーザーがアクセスし，画像再生を行う場合、上記コンピュータは、図１２の再生処理においてステップＳ８１にて送信されてきた鑑賞者の顔分類を実行し、ステップＳ８２にて顔の特徴データである上記デジタル情報から対応するフォルダを検索する。その後、検索されたフォルダの画像再生が行われる。
【００６１】
本変形例のシステムでは、上述のように画像の特徴部を使って認証を行うのではなく、そのまま画像を表す名称にしてしまうので、膨大なデータライブラリーを持つ必要がない。また、ユーザー登録をする必要もなくなる。また、認証によって直接的に個人情報に結びつくことが無く、セキュリティ的にも有利なシステムとなる。
【産業上の利用可能性】
【００６２】
本発明による画像再生システムおよび画像ファイリングシステムは、撮影した取得画像を選択し、効率良く表示再生する写真鑑賞用として適用可能である。
【図面の簡単な説明】
【００６３】
【図１】本発明の一実施形態である画像ファイリングシステムを含む画像再生システムの構成を示すブロック構成図である。
【図２】図１の画像再生システムにおける撮影・送信処理のフローチャートである。
【図３】図２の撮影・送信処理中の送信処理において画像データを保護する必要がある場合に適用される電子すかし処理のフローチャートである。
【図４】図３の電子すかし処理にて暗号化処理を行う場合に画像データ中に暗号を書き込む領域の一例を示す画像の画面を示す。
【図５】図１の画像再生システムの基地局でのフォルダ作成処理のフローチャートである。
【図６】図１の画像再生システムにおけるフォルダ分類の変形例により分類された写真の例を示す。
【図７】図１の画像再生システムにおけるフォルダ分類の変形例により分類された写真の他の例を示す。
【図８】図１の画像再生システムの再生装置における再生処理のフローチャートである。
【図９】図１の画像再生システムにおけるフォルダ作成処理の第一の変形例のフローチャートである。
【図１０】図９のフォルダ作成処理による処理後の再生処理のフローチャートである。
【図１１】図１の画像再生システムにおけるフォルダ作成処理の第二の変形例のフローチャートである。
【図１２】図１１のフォルダ作成処理による処理後の再生処理のフローチャートである。
【図１３】図１１のフォルダ作成処理において顔分類を行う場合、人物の顔画像から特徴部分を指定した状態を示す図である。
【図１４】図１１のフォルダ作成処理において、図１３に示す切り出された人物の顔画像の特徴部分の信号化状態を示す図である。
【符号の説明】
【００６４】
１Ａ，１Ｂ…カメラ（第一の認証手段）
１１  …撮影レンズ（第二の認証手段）
１２  …イメ−ジセンサ（第二の認証手段）
１３  …顔情報記録部（第二の認証手段）
１７  …個人認証処理部（第一，二の認証手段）
１８  …関連付け部（判定手段）
１９  …フォルダ作成部
（記録手段，フォルダ形成手段，
画像フォルダ形成手段）
４０  …基地局（フォルダ形成手段）
５０  …再生装置（選択再生手段，再生手段）
７１ａ…特徴部分（特徴部）
代理人      弁理士    伊  藤    進
【図１】
2005354210.tif 000003
【図２】
2005354210.tif 000004
【図３】
2005354210.tif 000005
【図４】
2005354210.tif 000006
【図５】
2005354210.tif 000007
【図６】
2005354210.tif 000008
【図７】
2005354210.tif 000009
【図８】
2005354210.tif 000010
【図９】
2005354210.tif 000011
【図１０】
2005354210.tif 000012
【図１１】
2005354210.tif 000013
【図１２】
2005354210.tif 000014
【図１３】
2005354210.tif 000015
【図１４】
2005354210.tif 000016